(57)【要約】【課題】  光ファイバを利用することのできる光壁面端子を提供する。【解決手段】  光壁面端子２１の筐体３２内には、光アダプタ３７を備えるＲＦユニット３８が設けられ、光ファイバ３１および光コネクタ３６を介して光アダプタ３７から入力された光信号が、ＲＦユニット３８により電気信号に変換され、光壁面端子２１の前面パネルに設けられている同軸接栓から出力される。【選択図】  図３
2007316123.tif 000002
【特許請求の範囲】
【請求項１】
光ファイバにより伝達された光信号が供給され、該光信号を電気信号に変換して出力する電子回路ユニットと、
該電子回路ユニットから出力される前記電気信号を出力する出力端子とを備え、
前記出力端子にケーブルを介して接続されて、前記出力端子から出力される前記電気信号を受信する受信手段から前記出力端子を介して前記電子回路ユニットに動作用の電源が供給されるようにしたことを特徴とする壁面等に設けられる光壁面端子。
【請求項２】
前記電子回路ユニットは光アダプタを有し、前記光ファイバの先端に設けられた光コネクタが、前記光アダプタに装着されるようにしたことを特徴とする壁面等に設けられる光壁面端子。
【発明の詳細な説明】
【技術分野】
【０００１】
本発明は、光ファイバにより伝達された光信号を電気信号に変換して出力する壁面等に設けられる光壁面端子に関するものである。
【背景技術】
【０００２】
近年、高速高帯域通信サービスの普及に伴い、家庭と送信局との間を光ケーブルで接続する通信サービスが実施されている。この通信サービスにおいては、光受信機が、光ファイバから供給された光信号を光−電気信号により電気信号に変換し、変換された電気信号を分配して壁面に設けられている壁面端子から出力している。テレビ受像器やレコーダは、壁面端子と同軸ケーブルにより接続され、電気信号を受信するようにしている。
【発明の開示】
【発明が解決しようとする課題】
【０００３】
このような光ファイバを用いる従来の受信システム１００の構成例を示すブロック図を図６に示す。
図６に示す従来の受信システム１００では、受信アンテナ１１０により受信されたテレビ信号がヘッドエンド１１１に供給される。受信アンテナ１１０は、ＢＳデジタル放送、ＣＳデジタル放送、地上デジタル放送、地上アナログ放送等のアンテナとされ、ヘッドエンド１１１では、供給されたＢＳデジタル放送、ＣＳデジタル放送、地上デジタル放送、地上アナログ放送や自主放送などのチャンネルをチャンネル多重して、光送信機１１２に供給している。光送信機１１２は、チャンネル多重された多重信号を光信号に変換して光ファイバに送出している。光信号は光カプラ群１１３を介して光ファイバを伝播されていき、分配された光信号が伝播する光ファイバの１本が家庭の宅内に導入される。宅内においては、光受信機１１４が設けられ、光受信機１１４により光信号が元のチャンネル多重された電気信号に変換される。
【０００４】
光受信機１１４から出力される電気信号は分配器１１５により複数に分配され、分配された電気信号の各々が、宅内の壁面に設けられている壁面端子１２０ａ，１２０ｂ，・・・１２０ｎから出力される。壁面端子１２０ａ〜１２０ｎには同軸端子が設けられており、この同軸端子にテレビ受像器１２１ａ，１２１ｂ，・・・１２１ｎに一端が接続されている同軸ケーブルを接続することにより、各テレビ受像器１２１ａ〜１２１ｎに電気信号が供給されて所望のチャンネルのテレビ信号を視聴することができるようになる。
しかしながら、光受信機１１４から壁面端子１２０ａ〜１２０ｎまでの信号減衰量が大きく、テレビ受像器１２１ａ〜１２１ｎおいて良好な視聴を行えないおそれがあるという問題点があった。例えば、分配器１１５の分配数を４分配とすると同軸ケーブルによる伝播損失および分配器１１５の分配損失により、ＵＨＦ放送信号は約１１ｄＢ減衰し、ＢＳ衛星放送信号は約１３ｄＢ減衰し、ＣＳ衛星放送信号は約１６．５ｄＢ減衰して壁面端子１２０ａ〜１２０ｎから出力されるようになる。そこで、宅内において同軸ケーブルの替わりに光ファイバを布線することが提案されているが、光ファイバを利用することのできる壁面端子がないという問題点があった。
【０００５】
そこで、本発明は、光ファイバを利用することのできる光壁面端子を提供することを目的としている。
【課題を解決するための手段】
【０００６】
上記目的を達成するために、本発明の光壁面端子は、光ファイバにより伝達された光信号が供給され、該光信号を電気信号に変換して出力する電子回路ユニットと、該電子回路ユニットから出力される電気信号を出力する出力端子とを備えることを最も主要な特徴としている。
【発明の効果】
【０００７】
本発明によれば、光ファイバにより伝達された光信号が供給され、該光信号を電気信号に変換して出力する電子回路ユニットと、該電子回路ユニットから出力される電気信号を出力する出力端子とを備えるようにしたので、光ファイバを導入して光ファイバを伝播してきた光信号を電気信号に変換して出力する光壁面端子を提供することができる。この光壁面端子を宅内に設ける際には、同軸ケーブルに替えて光ファイバを宅内に布線することになり、光ファイバはノイズの影響をほとんど受けないためＳＮ比を向上することができるようになる。また、電子回路ユニットから出力される電気信号は分配されないことから、出力される電気信号の出力電力を小さくすることができるため、電子回路ユニットの消費電力を低減することができるようになる。
【発明を実施するための最良の形態】
【０００８】
本発明にかかる光壁面端子を利用する受信システム１の構成を示すブロック図を図１に示す。
図１に示す本発明にかかる光壁面端子を利用する受信システム１では、受信アンテナ１０により受信されたテレビ信号がヘッドエンド１１に供給される。受信アンテナ１０は、ＢＳデジタル放送、ＣＳデジタル放送、地上デジタル放送、地上アナログ放送等のアンテナとされ、ヘッドエンド１１では、供給されたＢＳデジタル放送、ＣＳデジタル放送、地上デジタル放送、地上アナログ放送や自主放送などのチャンネルをチャンネル多重して、光送信機１２に供給している。光送信機１２は、チャンネル多重された多重信号を光信号に変換してネットワーク上の光ファイバに送出している。光信号はネットワークを構成している光カプラ群１３を介して光ファイバを伝播されていき、分配された光信号が伝播する光ファイバの１本が家庭の宅内に導入される。宅内においては、光分配器２０が設けられ、光分配器２０により分配された光信号の各々が、宅内の壁面に設けられている光壁面端子２１ａ，２１ｂ，・・・２１ｎに導びかれる。
【０００９】
光壁面端子２１ａ，２１ｂ，・・・２１ｎのそれぞれは、後述するように光信号を電気信号に変換するＲＦユニットを備えており、光ファイバが導入されて光ファイバを伝播してきた光信号が光壁面端子２１ａ，２１ｂ，・・・２１ｎにおいて、元のチャンネル多重された電気信号に変換される。光壁面端子２１ａ，２１ｂ，・・・２１ｎのそれぞれから出力される電気信号は、光壁面端子２１ａ，２１ｂ，・・・２１ｎにそれぞれ設けられている同軸端子から出力される。この同軸端子にテレビ受像器２２ａ，２２ｂ，・・・２２ｎに一端が接続されている同軸ケーブルを接続することにより、各テレビ受像器２２ａ，２２ｂ，・・・２２ｎに電気信号が供給されて所望のチャンネルのテレビ信号を視聴できるようになる。
このように、光壁面端子を宅内に設ける際には、同軸ケーブルに替えて光ファイバを宅内に布線することになる。すると、光ファイバはノイズの影響をほとんど受けないためＳＮ比を向上することができ、テレビ受像器２２ａ〜２２ｎはノイズの影響を受けないテレビ信号を視聴することができるようになる。また、光ファイバによる光信号の伝播損失は極めて小さいため、光信号は光分配器２０による分配損失しか受けないようになる。例えば、光分配器２０の分配数を４分配とするとＢＳデジタル放送、ＣＳデジタル放送、地上デジタル放送、地上アナログ放送や自主放送などのチャンネルがチャンネル多重された光信号は約８ｄＢの分配損失しか受けず、テレビ受像器２２ａ〜２２ｎにおいてこれらのチャンネルを良好に視聴することができるようになる。
【００１０】
次に、宅内の壁面等に設置される本発明にかかる光壁面端子２１ａ，２１ｂ，・・・２１ｎの構成例を図２および図３に示す。ただし、図２は光壁面端子２１の正面の構成を示す斜視図であり、図３は光壁面端子２１の背面の構成を示す斜視図である。
これらの図に示すように、光壁面端子２１は金属製あるいは合成樹脂製の筐体３２を備えており、筐体３２は前面パネルを残して壁内に埋め込まれて、前面パネルが壁面とほぼ同一面になるように取り付けられる。筐体３２の前面パネルには光信号を変換した電気信号を出力する同軸接栓３３と、動作電源が光壁面端子２１に供給されている際に点灯するパイロットランプ３４と、動作電源を供給することのできるＤＣ電源ジャック３５とが設けられている。また、筐体３２内には光アダプタ３７を備えるＲＦユニット３８が内蔵されており、光アダプタ３７に光ファイバ３１の先端に設けられている光コネクタ３６が装着されている。これにより、光ファイバ３１を伝播してきた光信号がＲＦユニット３８に入力されるようになる。ＲＦユニット３８では、入力された光信号を電気信号に変換して同軸接栓３３から出力している。ＲＦユニット３８の動作電源は、ＤＣ電源ジャック３５から供給することができるほか、同軸接栓３３から供給された直流電源を動作電源とすることができるようにされている。
【００１１】
次に、ＲＦユニット３８の回路構成の一例を示す回路ブロック図を図４に示す。
図４に示すＲＦユニット３８において、光アダプタ３７から入力された光入力信号はフォトダイオード（ＰＤ）４１により電気信号に変換される。ＰＤ４１により変換された電気信号は、第１増幅部４２において所定の増幅度で前置増幅されＡＧＣ（Automatic Gain Control）４３に供給される。ＡＧＣ４３は、光入力信号のレベルが変化しても、出力される電気信号レベルが一定になるように利得を可変制御する回路である。ＡＧＣ４３によりレベルが一定になるよう制御された電気信号は、第２増幅部４４により必要とされるレベルまで増幅され、同軸接栓３３からＲＦ出力として出力される。この場合、制御部４６はＰＤ４１により変換された電気信号のレベル（光入力信号のレベル）に応じてＡＧＣ４３を制御することにより、光入力信号のレベルが変化しても、同軸接栓３３から出力されるＲＦ信号のレベルが一定になるように制御している。このＲＦ出力は、同軸接栓３３に同軸ケーブルを介して接続されたテレビ受像器２２ａ〜２２ｎやレコーダに供給され、所望のチャンネルの番組を試聴したり録画することができるようになる。
【００１２】
ところで、テレビ受像器２２ａ〜２２ｎやレコーダには、同軸ケーブルを介してＲＦ信号が入力される入力端子が設けられているが、この入力端子から衛星放送受信用のアンテナ等に供給する直流電源を出力することができる機種がある。このように、テレビ受像器２２ａ〜２２ｎやレコーダの入力端子から直流電源を出力することができる場合は、ＲＦユニット３８は、同軸接栓３３から供給された直流電源を電源ラインを介して、第２増幅部４４，制御部４６，第１増幅部４２およびＰＤ４１に供給するようにしている。また、同軸接栓３３から直流電源が供給されない場合は、ＤＣ電源ジャック３５に直流電源を外部から供給することにより、供給された直流電源を電源ラインを介して、第２増幅部４４，制御部４６，第１増幅部４２およびＰＤ４１に供給するようにしている。ところで、光壁面端子２１から出力される電気信号は分配されないことから、出力される電気信号の出力電力を小さくすることができる。このため、第２増幅部４４の消費電力を低減することができることから、ＲＦユニット３８の消費電力を低減することができるようになる。例えば、ＲＦユニット３８の消費電力を約１．５Ｗ（ＤＣ１５Ｖで約０．１Ａ）とすることができる。なお、図６に示す従来の受信システム１００における光受信機１１４の消費電力は約５Ｗ（ＤＣ１５Ｖで約０．３Ａ）である。
【００１３】
次に、ＲＦユニットの回路構成の他の例を示す回路ブロック図を図５に示す。
図５に示すＲＦユニット３８’は、ＡＧＣ４３に替えてアッテネータ（ＡＴＴ）４７を設けるようにした構成だけが、図４に示すＲＦユニット３８の構成と異なっている。ＲＦユニット３８’において、光アダプタ３７から入力された光入力信号はフォトダイオード（ＰＤ）４１により電気信号に変換される。ＰＤ４１により変換された電気信号は、第１増幅部４２において所定の増幅度で前置増幅されＡＴＴ４７に供給される。ＡＴＴ４７は、電気信号を減衰させる減衰器であり、第１増幅部４２から出力される電気信号のレベルを減衰させることにより、出力される電気信号レベルが所定のレベルになるようにしている。ＡＴＴ４７によりレベルが制御された電気信号は、第２増幅部４４により必要とされるレベルまで増幅され、同軸接栓３３からＲＦ出力として出力される。このＲＦ出力は、同軸接栓３３に同軸ケーブルを介して接続されたテレビ受像器２２ａ〜２２ｎやレコーダに供給され、所望のチャンネルの番組を試聴したり録画することができるようになる。
【００１４】
ここで、テレビ受像器２２ａ〜２２ｎやレコーダの入力端子から直流電源を出力することができる場合は、ＲＦユニット３８’は、同軸接栓３３から供給された直流電源を電源ラインを介して、第２増幅部４４，第１増幅部４２およびＰＤ４１に供給するようにしている。また、同軸接栓３３から直流電源が供給されない場合は、ＤＣ電源ジャック３５に直流電源を外部から供給することにより、供給された直流電源を電源ラインを介して、第２増幅部４４，第１増幅部４２およびＰＤ４１に供給するようにしている。なお、上述したように第２増幅部４４の消費電力を低減することができることから、ＲＦユニット３８’の消費電力を低減することができるようになる。また、壁面端子までの信号の減衰量を低減することができる。
【産業上の利用可能性】
【００１５】
以上説明した光壁面端子において、光壁面端子に導入される光ファイバは、布線の都合から一般に余長部が生じるようになる。そこで、光ファイバの余長部を収納する余長収納部を光壁面端子の筐体内や筐体の周囲に設けるようにしても良い。
【図面の簡単な説明】
【００１６】
【図１】本発明にかかる光壁面端子を利用する受信システムの構成を示すブロック図である。
【図２】本発明にかかる光壁面端子の正面の構成を示す斜視図である。
【図３】本発明にかかる光壁面端子の背面の構成を示す斜視図である。
【図４】本発明にかかる光壁面端子におけるＲＦユニットの回路構成の一例を示す回路ブロック図である。
【図５】本発明にかかる光壁面端子におけるＲＦユニットの回路構成の他の例を示す回路ブロック図である。
【図６】光ファイバを用いる従来の受信システムの構成例を示すブロック図である。
【符号の説明】
【００１７】
１  受信システム、１０  受信アンテナ、１１  ヘッドエンド、１２  光送信機、１３  光カプラ群、２０  光分配器、２１  光壁面端子、２１ａ〜２１ｎ  光壁面端子、２２ａ〜２２ｎ  テレビ受像器、３１  光ファイバ、３２  筐体、３３  同軸接栓、３４  パイロットランプ、３５  ＤＣ電源ジャック、３６  光コネクタ、３７  光アダプタ、３８  ＲＦユニット、４２  第１増幅部、４４  第２増幅部、４６  制御部、１００  受信システム、１１０  受信アンテナ、１１１  ヘッドエンド、１１２  光送信機、１１３  光カプラ群、１１４  光受信機、１１５  分配器、１２０ａ〜１２０ｎ  壁面端子、１２１ａ〜１２１ｎ  テレビ受像器
【図１】
2007316123.tif 000003
【図２】
2007316123.tif 000004
【図３】
2007316123.tif 000005
【図４】
2007316123.tif 000006
【図５】
2007316123.tif 000007
【図６】
2007316123.tif 000008